(57)【要約】      （修正有）【課題】非内蔵カップによる飲料販売と、内蔵カップによる飲料販売の何れも実施可能な自動販売機を提供する。【解決手段】利用者の識別情報を記憶するＩＣタグ４０を有する利用者カップが出入口を介して載置可能である載置室と、出入口を開閉する自動扉と、自動扉が閉じた後に、利用者カップが載置室に存在するか否かを検出する検出部と、利用者カップが載置室に存在することを検出部３２（３２ａ，３２ｂ）が検出した場合、利用者カップに飲料を供給するとともに利用者に所定サービスを提供し、利用者カップが載置室に存在しないことを検出部が検出した場合、内蔵する使い捨てカップを払い出すとともに飲料を供給するための制御を行う制御部と、を備えてなるカップ式自動販売機。【選択図】図２
2008186228.tif 000002
【特許請求の範囲】
【請求項１】
利用者の識別情報を記憶するＩＣタグを有する利用者カップが出入口を介して載置可能である載置室と、
前記出入口を開閉する自動扉と、
前記自動扉が閉じた後に、前記利用者カップが前記載置室に存在するか否かを検出する検出部と、
前記利用者カップが前記載置室に存在することを前記検出部が検出した場合、前記利用者カップに飲料を供給するとともに前記利用者に所定サービスを提供し、前記利用者カップが前記載置室に存在しないことを前記検出部が検出した場合、内蔵する使い捨てカップを払い出すとともに前記飲料を供給するための制御を行う制御部と、
を備えたことを特徴とするカップ式自動販売機。
【請求項２】
前記検出部の検出結果を報知する報知部、を備え、
前記検出部は、前記自動扉が閉じる前に、前記利用者カップが前記載置室に存在するか否かを検出し、検出結果を前記報知部に出力する、
ことを特徴とする請求項１に記載のカップ式自動販売機。
【請求項３】
前記飲料の販売代金が現金で入金されたか否かを検出する入金検出部、を備え、
前記自動扉は、前記入金検出部が入金を検出したときの検出結果に従って開き、
前記検出部は、前記自動扉が開いているとき、前記利用者カップが前記載置室に存在するか否かを検出する、
ことを特徴とする請求項２に記載のカップ式自動販売機。
【請求項４】
前記所定サービスは、前記飲料を増量するサービス、前記飲料の販売代金を割り引くサービスの少なくとも一つである、
ことを特徴とする請求項３に記載のカップ式自動販売機。
【請求項５】
前記飲料を販売するための飲料販売釦と、
前記飲料の販売代金をカードで支払処理する支払処理部と、を備え、
前記自動扉は、前記飲料販売釦の操作に従って開き、
前記検出部は、前記自動扉が開いているとき、前記利用者カップが前記載置室に存在するか否かを検出する、
ことを特徴とする請求項２に記載のカップ式自動販売機。
【請求項６】
前記所定サービスは、前記飲料を増量するサービス、前記飲料の販売代金を割り引くサービス、前記カードに対するポイントサービスの少なくとも一つである、
ことを特徴とする請求項５に記載のカップ式自動販売機。
【請求項７】
前記飲料の販売代金をカードで支払処理する支払処理部、を備え、
前記支払処理部は、前記検出部が前記自動扉が閉じた後の検出を完了する前である場合、前記カードからの情報の入力を無効とする、
ことを特徴とする請求項１に記載のカップ式自動販売機。
【請求項８】
前記支払処理部は、前記検出部が前記自動扉が閉じた後の検出を完了する前の、前記カードからの情報の入力を無効とする、
ことを特徴とする請求項５に記載のカップ式自動販売機。
【請求項９】
前記利用者カップは、一定の形状を有することを特徴とする請求項１乃至８の何れかに記載のカップ式自動販売機。
【請求項１０】
前記飲料が供給された後の前記利用者カップ又は前記使い捨てカップは、前記載置室から前記出入口を介して取り出し可能である、
ことを特徴とする請求項１乃至９の何れかに記載のカップ式自動販売機。
【請求項１１】
利用者の識別情報を記憶するＩＣタグを有する第１利用者カップ、又は、前記ＩＣタグを有しない第２利用者カップが出入口を介して載置可能である載置室と、
前記出入口を開閉する自動扉と、
前記自動扉が閉じた後に、前記第１利用者カップ又は前記第２利用者カップが前記載置室に存在するか否かを検出する検出部と、
前記第１利用者カップ又は前記第２利用者カップが前記載置室に存在することを前記検出部が検出した場合、前記第１利用者カップ又は前記第２利用者カップに飲料を供給するとともに前記利用者に前記第１利用者カップ又は前記第２利用者カップにそれぞれ対応する所定サービスを提供し、前記第１利用者カップ及び前記第２利用者カップが前記載置室に存在しないことを前記検出部が検出した場合、内蔵する使い捨てカップを払い出すとともに前記飲料を供給するための制御を行う制御部と、
を備えたことを特徴とするカップ式自動販売機。
【請求項１２】
前記検出部は、前記第１利用者カップ及び前記第２利用者カップの在否を光の透過又は反射で検出する第１センサと、前記ＩＣタグに記憶される識別情報を検出する第２センサと、を含み、
前記第１センサ及び前記第２センサの検出結果に応じて前記第１利用者カップ及び前記第２利用者カップの在否を検出する、
ことを特徴とする請求項１１に記載のカップ式自動販売機。
【発明の詳細な説明】
【技術分野】
【０００１】
本発明は、カップに飲料を販売するカップ式自動販売機に関する。
【背景技術】
【０００２】
カップに飲料を販売するカップ式自動販売機が知られている。このカップ式自動販売機は、例えば会社等で各社員（利用者）がコーヒーや紅茶等を購入して飲むために設置される。このカップ式自動販売機は、一般に、紙製又はプラスチック製の使い捨てカップ（以下、「内蔵カップ」と称する）を複数収容し、飲料を販売する都度、このカップを払い出していた。例えば、利用者が、現金やＩＣカード等により代金を支払い、所定の飲料販売釦を押下すると、カップ式自動販売機は、カップを払い出すとともに、押下された飲料販売釦に該当する飲料をカップに供給するようになっている。
【０００３】
一方、環境問題に関する意識が高まっている近年では、ごみの削減に貢献できるカップ式自動販売機が求められている。例えば、利用者が所有する多目的のカップ（以下、「非内蔵カップ」と称し、特に「独自マイカップ」と称する）が所定位置に載置されると、この載置及び独自マイカップの大きさを検知し、この大きさに適した容量の飲料を供給するカップ式自動販売機が開示されている（例えば、特許文献１参照）。
【０００４】
或いは、例えばＩＣタグ等を備えたカップ（以下、「非内蔵カップ」と称し、特に「専用マイカップ」と称する）が予め用意されており、利用者によりこのカップが所定位置に載置されると、ＩＣタグに記憶された情報を読み出し、この情報に基づいて、専用マイカップに飲料を供給するカップ式自動販売機が開示されている（例えば、特許文献２）。
【０００５】
しかしながら、利用者が独自マイカップ又は専用マイカップ（非内蔵カップ）を持参しないと飲料を販売できないカップ式自動販売機には、その不便さ故に、商業上普及し難いという問題がある。そこで、実際は、非内蔵カップによる飲料販売と、内蔵カップによる飲料販売との何れも実施可能なカップ式自動販売機が提案されている。但し、このカップ式自動販売機には、前述したごみの削減等の要請から、非内蔵カップでの飲料販売を促進するサービス機能が付加される。このサービス機能とは、非内蔵カップによる飲料販売と、内蔵カップによる飲料販売とを差別化するものであり、例えば、非内蔵カップの利用者に対する価格の割り引き、飲料の増量、ポイントの蓄積等が挙げられる。
【０００６】
尚、ポイントとは、例えば、飲料の購入実績に応じて増加し、所定数に達すると、利用者に対し価格の割り引きや無料販売（全額割り引き）等の特典を提供するための数値を意味する。専用マイカップの場合、例えばＩＣタグの識別情報とポイント情報とを対応付けてカップ式自動販売機のＲＡＭに記憶させておき、この情報に基づいてポイントを管理できる。一方、独自マイカップの場合、例えば利用者の識別情報とポイント情報とを対応付けてカップ式自動販売機のＲＡＭに記憶させておき、この情報に基づいてポイントを管理できる。後者の場合、カップ式自動販売機のＲＡＭに利用者の識別情報を書き込むために、同自動販売機は、例えば利用者が使用する所定の情報記録カードからこの識別情報を読み出すための手段を別途備えている必要がある。
【特許文献１】特開平３−２９０７９５号公報
【特許文献２】特開２００６−１２７１３８号公報
【発明の開示】
【発明が解決しようとする課題】
【０００７】
ところで、非内蔵カップによる飲料販売と、内蔵カップによる飲料販売との何れも実施可能なカップ式自動販売機が、飲料販売の直前に、例えば所定位置に非内蔵カップが載置されているか否かを判別するための手段は、前述した特許文献１及び２に開示された手段では十分とは言えない。例えば、利用者が所定位置に非内蔵カップを載置しても直ぐにこれを抜く等の誤操作をした場合、カップ式自動販売機は、内蔵カップを払い出すことなく、非内蔵カップによる飲料販売として、カップの無い場所に飲料を注いでしまう虞がある。
【０００８】
本発明は、かかる課題に鑑みてなされたものであり、その目的とするところは、利用者のカップによる飲料販売と、内蔵する使い捨てカップによる飲料販売とを実施可能なカップ式自動販売機が、飲料販売ごとのサービスの差別化を図るべく、何れの飲料販売をすべきかを自動的且つ確実に判別することにある。
【課題を解決するための手段】
【０００９】
前記課題を解決するための発明は、利用者の識別情報を記憶するＩＣタグを有する利用者カップが出入口を介して載置可能である載置室と、前記出入口を開閉する自動扉と、前記自動扉が閉じた後に、前記利用者カップが前記載置室に存在するか否かを検出する検出部と、前記利用者カップが前記載置室に存在することを前記検出部が検出した場合、前記利用者カップに飲料を供給するとともに前記利用者に所定サービスを提供し、前記利用者カップが前記載置室に存在しないことを前記検出部が検出した場合、内蔵する使い捨てカップを払い出すとともに前記飲料を供給するための制御を行う制御部と、を備えてなるカップ式自動販売機である。  
このカップ式自動販売機によれば、載置室の出入口の自動扉が閉じて利用者が載置室内に手を入れることができない状態で、この載置室に利用者カップが存在するか否かが検出部により検出される。そして、利用者カップを載置した利用者に対しては、制御部により所定サービスが提供される。つまり、利用者のカップによる飲料販売と、内蔵する使い捨てカップによる飲料販売との何れを行うべきかを自動的且つ確実に判別するとともに、これら２つの飲料販売に関して利用者に対しサービスの差別化ができる。
【００１０】
また、かかるカップ式自動販売機において、前記検出部の検出結果を報知する報知部、を備え、前記検出部は、前記自動扉が閉じる前に、前記利用者カップが前記載置室に存在するか否かを検出し、検出結果を前記報知部に出力する、ことが好ましい。  
このカップ式自動販売機によれば、載置室の出入口の自動扉が開いており利用者が載置室に手を入れることができる状態で、この載置室に利用者カップが存在するか否かが検出部に検出され、その検出結果が報知部を通じて利用者に報知される。例えば、利用者が利用者カップを載置室に載置しているにもかかわらず、その載置位置が不適切であるが故に検出部が利用者カップの存在を検出しない場合、その旨の報知を受けた利用者は、載置室に手を入れて利用者カップを適切に載置し直すことができる。
【００１１】
また、かかるカップ式自動販売機において、前記飲料の販売代金が現金で入金されたか否かを検出する入金検出部、を備え、前記自動扉は、前記入金検出部が入金を検出したときの検出結果に従って開き、前記検出部は、前記自動扉が開いているとき、前記利用者カップが前記載置室に存在するか否かを検出する、ことが好ましい。  
このカップ式自動販売機によれば、利用者が飲料を購入するべく販売代金を所定額の現金で入金したとき自動扉が開くため、利用者にとって利用者カップの載置のタイミングがわかり易い。利用者は、販売代金の入金から自動扉が閉じるまでの間、前述した利用者カップの適切な載置を実行できる。
【００１２】
また、かかるカップ式自動販売機において、前記所定サービスは、前記飲料を増量するサービス、前記飲料の販売代金を割り引くサービスの少なくとも一つである、ことが好ましい。  
利用者カップを使用すると、飲料の増量や販売代金の割り引き等のサービスが受けられることは、利用者カップの使用の促進につながる。尚、飲料の増量や販売代金の割り引き等のサービスは、後述するポイントの蓄積の結果、このポイントが所定数に達した場合に利用者に提供されるサービスも意味する。
【００１３】
また、かかるカップ式自動販売機において、前記飲料を販売するための飲料販売釦と、前記飲料の販売代金をカードで支払処理する支払処理部と、を備え、前記自動扉は、前記飲料販売釦の操作に従って開き、前記検出部は、前記自動扉が開いているとき、前記利用者カップが前記載置室に存在するか否かを検出する、ことが好ましい。  
このカップ式自動販売機によれば、利用者が飲料を購入するべく飲料販売釦を操作したとき自動扉が開くため、利用者にとって利用者カップの載置のタイミングがわかり易い。利用者は、飲料販売釦の操作から自動扉が閉じるまでの間、前述した利用者カップの適切な載置を実行できる。また、例えば、支払処理部による支払処理を自動扉が閉じた後に実行するものとすれば、前述した検出部による検出結果をこの支払処理に反映させることが可能となる。
【００１４】
また、かかるカップ式自動販売機において、前記所定サービスは、前記飲料を増量するサービス、前記飲料の販売代金を割り引くサービス、前記カードに対するポイントサービスの少なくとも一つである、ことが好ましい。  
利用者カップを使用すると、飲料の増量、販売代金の割り引き、カードに対するポイント等のサービスが受けられることは、利用者カップの使用の促進につながる。特に、販売代金の割り引きは、例えば検出部が載置室における利用者カップの存否を検出した後の検出結果に応じて支払処理部により自動的に実行可能である。また、カードに対するポイントに応じた支払処理部による販売代金の割り引き等も可能である。
【００１５】
また、かかるカップ式自動販売機において、前記飲料の販売代金をカードで支払処理する支払処理部、を備え、前記支払処理部は、前記検出部が前記自動扉が閉じた後の検出を完了する前である場合、前記カードからの情報の入力を無効とする、ことが好ましい。  
例えば前述した所定サービスが支払処理部を通じて提供されるサービスである場合、検出部による検出完了前のカードの情報入力を無効とする一方、例えば検出完了後のカードの情報入力を有効とすることにより、このサービスは、確実に、検出部による検出結果に応じたものとなる。尚、このような処理は、飲料販売釦を備えていないカップ式自動販売機であっても対応可能である。
【００１６】
また、かかるカップ式自動販売機において、前記支払処理部は、前記検出部が前記自動扉が閉じた後の検出を完了する前の、前記カードからの情報の入力を無効とする、ことが好ましい。  
例えば前述した所定サービスが支払処理部を通じて提供されるサービスである場合、検出部による検出完了前のカードの情報入力を無効とする一方、例えば検出完了後のカードの情報入力を有効とすることにより、このサービスは、確実に、検出部による検出結果に応じたものとなる。
【００１７】
また、かかるカップ式自動販売機において、前記利用者カップは、一定の形状を有することが好ましい。  
例えば前述した所定サービスが飲料を増量するサービスである場合、利用者カップの一定の形状に応じた一定量を増量すればよく、これにより、サービス提供時にカップから飲料があふれる等の問題を回避できる。また、利用者カップが一定の形状を有していれば、同じく一定の形状を有する把持手段により把持されてカップ式自動販売機内部を飲料の調理ルートを通って搬送可能である。よって、一定の形状を有する利用者カップは、このようなカップ搬送型のカップ式自動販売機にも適用可能である。以上から、カップ式自動販売機は、カップ固定型の形式のみならず、カップ搬送型の形式もとり得る。
【００１８】
また、かかるカップ式自動販売機において、前記飲料が供給された後の前記利用者カップ又は前記使い捨てカップは、前記載置室から前記出入口を介して取り出し可能である、ことが好ましい。  
このカップ式自動販売機によれば、載置室に対し、出入口を介して利用者カップを載置可能であるとともに、同出入口を介して利用者カップを取り出し可能であるため、カップ式自動販売機内部のスペースを有効利用できる。これにより、カップ式自動販売機の小型化とともにコストの低減を図れる。特に、カップ式自動販売機がカップ固定型である場合、利用者が載置室に利用者カップを載置すると、載置されたままの状態で利用者カップに飲料が供給される。このように、利用者カップを載置室から例えば別室へ運搬する等の操作を伴わない分、利用者カップの形状等に自由度をもたせることができる。
【００１９】
また、前記課題を解決するための発明は、利用者の識別情報を記憶するＩＣタグを有する第１利用者カップ、又は、前記ＩＣタグを有しない第２利用者カップが出入口を介して載置可能である載置室と、前記出入口を開閉する自動扉と、前記自動扉が閉じた後に、前記第１利用者カップ又は前記第２利用者カップが前記載置室に存在するか否かを検出する検出部と、前記第１利用者カップ又は前記第２利用者カップが前記載置室に存在することを前記検出部が検出した場合、前記第１利用者カップ又は前記第２利用者カップに飲料を供給するとともに前記利用者に前記第１利用者カップ又は前記第２利用者カップにそれぞれ対応する所定サービスを提供し、前記第１利用者カップ及び前記第２利用者カップが前記載置室に存在しないことを前記検出部が検出した場合、内蔵する使い捨てカップを払い出すとともに前記飲料を供給するための制御を行う制御部と、を備えてなるカップ式自動販売機である。  
このカップ式自動販売機によれば、載置室の出入口の自動扉が閉じて利用者が載置室内に手を入れることができない状態で、この載置室に第１利用者カップ又は第２利用者カップが存在するか否かが検出部により検出される。そして、第１利用者カップ又は第２利用者カップを載置した利用者に対しては、制御部によりそれぞれに対応する所定サービスが提供される。つまり、利用者の２通りのカップによる飲料販売と、内蔵する使い捨てカップによる飲料販売との何れを行うべきかを自動的且つ確実に判別するとともに、これら３つの飲料販売に関して利用者に対しサービスの差別化ができる。
【００２０】
また、かかるカップ式自動販売機において、前記検出部は、前記第１利用者カップ及び前記第２利用者カップの在否を光の透過又は反射で検出する第１センサと、前記ＩＣタグに記憶される識別情報を検出する第２センサと、を含み、前記第１センサ及び前記第２センサの検出結果に応じて前記第１利用者カップ及び前記第２利用者カップの在否を検出する、ことが好ましい。  
このカップ式自動販売機によれば、第１センサの検出結果及び第２センサの検出結果により、載置室に第１利用者カップが存在、載置室に第２利用者カップが存在、及び載置室に２つのカップとも存在しない、の何れの状態であるかを確実に判別できる。よって、これら３つの飲料販売に関して利用者に対しサービスの差別化ができる。
【発明の効果】
【００２１】
利用者のカップによる飲料販売と、内蔵する使い捨てカップによる飲料販売とを実施可能なカップ式自動販売機が、飲料販売ごとのサービスの差別化を図るべく、何れの飲料販売をすべきかを自動的且つ確実に判別できる。
【発明を実施するための最良の形態】
【００２２】
===カップ式自動販売機の構成===
図１乃至図４を参照しつつ、本実施の形態のカップ式自動販売機１の構成例について説明する。
【００２３】
<<<外観構成>>>
図１に例示されるように、本実施の形態のカップ式自動販売機１の正面外観は、接客面１０を備えた前扉２で構成される。同図は、本実施の形態のカップ式自動販売機１の外観構成例を示す正面図である。
【００２４】
尚、本実施の形態のカップ式自動販売機１は、各種レギュラーコーヒーを調理して販売する自動販売機である。また、本実施の形態のカップ式自動販売機１は、例えばカップを持参しない利用者には内蔵する使い捨てカップ（以後、「内蔵カップ」と称する）を払い出してこれに飲料を販売する一方、例えば利用者が所有する多目的の利用者カップ（第１利用者カップ、以後、「独自マイカップ」と称する）及び利用者の識別情報を記憶するＩＣタグ４０（図４）を備えた利用者カップ（第２利用者カップ、以後、「専用マイカップ」と称する）に対しては、内蔵カップを払い出すことなく、持参したこれらのカップに飲料を販売する。
【００２５】
前扉２は、後述する販売機構１００（図３）等を収容する本体（不図示）の側端部に軸支されて開閉する。この前扉２は、例えばルートマンによる飲料の原料補充等に際しては開錠して開けられる一方、飲料販売に際しては施錠して閉じられている。
【００２６】
接客面１０は、利用者とカップ式自動販売機１とのインタフェースを司るものであり、商品選択ボタン（飲料販売釦）１１、砂糖増減ボタン１２、クリーム増減ボタン１３、増減表示ランプ２０、２１、内蔵カップ表示ランプ（報知部）２２、独自マイカップ表示ランプ（報知部）２３、専用マイカップ表示ランプ（報知部）２４、及びディスプレイ（報知部）２５を備えている。
【００２７】
商品選択ボタン１１は、利用者が飲料を選択するためのボタンであり、本実施の形態では、販売可ランプ（不図示）及び売り切れランプ（不図示）を内蔵し、接客面１０上で複数種類の飲料の写真、絵柄、文字等の表示にそれぞれ対応するように配置されている。
【００２８】
砂糖増減ボタン１２は、１杯の飲料に添加する砂糖の量を利用者が予め増減設定するためのボタンである。本実施の形態では、砂糖増減ボタン１２を押下した回数に応じて増減表示ランプ２０には砂糖の量の増減が表示されるようになっている。クリーム増減ボタン１３は、１杯の飲料に添加するクリームの量を利用者が予め増減設定するためのボタンである。本実施の形態では、クリーム増減ボタン１３を押下した回数に応じて増減表示ランプ２１にはクリームの量の増減が表示されるようになっている。
【００２９】
内蔵カップ表示ランプ２２は、後述するように、商品取出口１９の所定位置に独自マイカップ及び専用マイカップの何れも載置されていない場合に、内蔵カップを払い出して飲料販売する旨を利用者に対し表示するべく点灯する。独自マイカップ表示ランプ２３は、後述するように、商品取出口１９の所定位置に独自マイカップが載置されていることを表示するべく点灯する。専用マイカップ表示ランプ２４は、後述するように、商品取出口１９の所定位置に専用マイカップが載置されていることを表示するべく点灯する。ディスプレイ２５は、利用者に対し、後述する所定のメッセージを表示する。
【００３０】
また、接客面１０は、硬貨投入口１５、紙幣挿入口１６、返却レバー１７、カード用リーダライタ１４、返却口１８、及び商品取出口１９を備えている。
【００３１】
硬貨投入口１５は、利用者が飲料の代金を支払うべく、後述する硬貨識別装置に硬貨を投入するためのものである。また、紙幣挿入口１６は、利用者が飲料の代金を支払うべく、後述する紙幣識別装置に紙幣を挿入するためのものである。返却レバー１７は、投入硬貨自体、或いは、投入硬貨又は紙幣挿入から飲料購入金額等を減額した釣銭を返却口１８に返却するためのものである。カード用リーダライタ１４は、飲料販売時、後述するＩＣカード５０（図４）に対し、販売履歴に係る情報を読み出したり、書き込んだりするためのものである。
【００３２】
商品取出口（載置室）１９は、以下述べるように、払い出された内蔵カップが載置される空間を有するとともに、この内蔵カップに供給管１２５を通じて飲料が供給される空間を有するものである。また、商品取出口１９は、利用者が飲料購入に際し独自マイカップ又は専用マイカップを載置する空間を有するとともに、これらのカップに供給管１２５を通じて飲料が供給される空間を有するものである。利用者は、飲料が供給された内蔵カップ、独自マイカップ、及び専用マイカップの何れかを商品取出口１９の出入口を介して取り出すようになっている。
【００３３】
<<<商品取出口>>>
図２に例示されるように、本実施の形態のカップ式自動販売機１の商品取出口１９は、後述する主制御部２００（図４）に制御されて出入口を自動的に開閉する扉（自動扉）３０を備えている。図２（ａ）は、扉３０が開いている状態の本実施の形態の商品取出口１９の正面斜視図であり、図２（ｂ）は、扉３０が略閉じている状態の本実施の形態の商品取出口１９の正面斜視図である。本実施の形態の扉３０は、図２のＸ軸方向に沿って摺動し相互に離間又は当接することにより出入口を開閉する左扉３０ａ及び右扉３０ｂを備えて構成されている。尚、本実施の形態の左扉３０ａ及び右扉３０ｂは、所定の駆動モータ２６１（図４）により駆動されて摺動する。
【００３４】
また、本実施の形態の商品取出口１９の内部の空間には、図２（ａ）のＸ軸方向に沿ってカップを挟んで対向する位置に、カップ検出器（検出部、第１センサ）３２が設けられている。本実施の形態のカップ検出器３２は、赤外光を発光する発光部３２ａと、この赤外光を受光する受光部３２ｂとを備えて構成されている。図２（ａ）に例示されるように、独自マイカップ又は専用マイカップが載置場所３１に載置されていれば、発光部３２ａが発光する赤外光は、カップに遮断されて、受光部３２ｂに到達しない。一方、載置場所３１に何も載置されていなければ、受光部３２ｂは、発光部３２ａが発光する赤外光を受光する。これにより、後述するように、受光部３２ｂによる受光結果に応じて、載置場所３１における独自マイカップ又は専用マイカップの存否を判別することができる。
【００３５】
更に、本実施の形態の商品取出口１９の内部の空間の所定位置には、専用マイカップが備えるＩＣタグ４０に対し、利用者のＩＤ情報を読み出したり、販売履歴に係る情報を書き込んだりするためのＩＣタグ用リーダライタ（検出部、第２センサ）３３が設けられている。後述するように、ＩＣタグ用リーダライタ３３は、ＩＣタグ４０から読み出すＩＤ情報の有無を通じて、専用マイカップの存否を検出する機能も果たし得る。尚、本実施の形態の専用マイカップには、その外側表面の所定位置にＩＣタグ４０が接着剤等を介して貼付されているものとする。また、本実施の形態の専用マイカップは、複数の利用者に対し、一定の形状を有しているものとする。
【００３６】
<<<販売機構>>>
図３を参照しつつ、本実施の形態のカップ式自動販売機１の販売機構１００の構成例について説明する。同図は、本実施の形態の販売機構１００におけるコーヒーを販売する部分の概略構成例を示す模式図である。本実施の形態の販売機構１００は、レギュラーコーヒー抽出装置１０１、湯タンク１０３、ミキシングボール１１７、砂糖容器１１９、及びクリーム容器１２１を備えて構成される。
【００３７】
レギュラーコーヒー抽出装置１０１は、挽き豆と湯とを収容するための所定のシリンダ、シリンダ内の空間を密閉するための所定のピストン、挽き豆と湯とからコーヒーを濾過するための所定のフィルタ等を備えて構成される。また、このレギュラーコーヒー抽出装置１０１のシリンダの開口部には、所定の容器に収容されたコーヒー豆を挽くためのコーヒーミル１１１が隣接するように設けられている。この構成により、レギュラーコーヒー抽出装置１０１は、コーヒーミル１１１から供給される挽き豆と、湯タンク１０３からポンプ１１３、電磁弁１１４、及び湯供給管１１５を通じて供給される湯とからコーヒーを抽出し、電磁弁１０４を通じてコーヒー供給管１０５に供給する。ミキシングボール１１７は、ブラックのコーヒーに対して、例えば、砂糖容器１１９から供給される砂糖及びクリーム容器１２１から供給される粉末状のクリームを混合するためのものである。
【００３８】
尚、ミキシングボール１１７において砂糖及びクリームと混合されて調理された砂糖及びクリーム入りコーヒーは、ミキシングボール１１７の下流に設けられた電磁弁１２３及び供給管１２５を通じて内蔵カップ、独自マイカップ、又は専用マイカップに供給されるようになっている。また、ブラックのコーヒーも、ミキシングボール１１７、電磁弁１２３、及び供給管１２５を通じてこれらのカップに供給されるようになっている。
【００３９】
<<<制御を司る構成例>>>
図４を参照しつつ、本実施の形態のカップ式自動販売機１の制御を司る構成例について説明する。同図は、本実施の形態のカップ式自動販売機１の制御を司る構成例を示すブロック図である。
【００４０】
本実施の形態のカップ式自動販売機１は、主制御部２００及び複数の従制御部から構成されている。本実施の形態の従制御部は、硬貨処理制御部２１０、紙幣処理制御部２２０、接客制御部２３０、カップ検出制御部２４０、リーダライタ制御部２５０、扉開閉制御部２６０、販売制御部２７０、及び入出力制御部２８０である。主制御部（検出部、制御部、報知部、入金検出部、支払処理部）２００は、これらの従制御部を統括制御するものであり、ＣＰＵ２０１、ＲＯＭ２０２、ＲＡＭ２０３、タイマ２０４、及びカウンタ２０５を備えて構成されている。ここで、ＣＰＵ２０１は、ＲＯＭ２０２に記憶されている所定のプログラムに基づいて前記統括制御を行う。また、ＲＡＭ２０３は、ＩＣタグ４０のＩＤ情報４０ａとポイント情報との対応付け等の各種情報を記憶する。また、タイマ２０４は、飲料販売における各動作の時間を計時する。また、カウンタ２０５は、例えば前述した砂糖増減ボタン１２及びクリーム増減ボタン１３の押下回数等を計数する。
【００４１】
硬貨投入機構２１１は、硬貨処理制御部２１０により制御されて、釣銭切れを検出し、硬貨投入口１５からの投入硬貨を受け取り、必要に応じて釣銭を返却口１８から返却する。本実施の形態では、この硬貨処理制御部２１０及び硬貨投入機構２１１が硬貨識別装置（入金検出部）を構成する。
【００４２】
紙幣挿入機構２２１は、紙幣処理制御部２２０に制御されて、釣札切れを検出し、紙幣挿入口１６からの挿入紙幣を受け取り、必要に応じて釣札を紙幣挿入口１６から返却する。本実施の形態では、この紙幣処理制御部２２０及び紙幣挿入機構２２１が紙幣識別装置（入金検出部）を構成する。
【００４３】
接客制御部（報知部、支払処理部）２３０は、前述した接客面１０を構成する商品選択ボタン１１、砂糖増減ボタン１２、クリーム増減ボタン１３、カード用リーダライタ（支払処理部）１４、増減表示ランプ２０、２１、内蔵カップ表示ランプ２２、独自マイカップ表示ランプ２３、専用マイカップ表示ランプ２４、及びディスプレイ２５を制御する。例えば、商品選択ボタン１１、砂糖増減ボタン１２、クリーム増減ボタン１３等が押下されると、接客制御部２３０は、各ボタンに応じた検出信号を生成して主制御部２００に送信する。また、接客制御部２３０は、主制御部２００からの制御信号に基づいて、カード用リーダライタ１４を制御して、ＩＣカード５０に対し販売履歴に係る情報を読み出したり書き込んだりする。更に、接客制御部２３０は、主制御部２００からの制御信号に基づいて、ディスプレイ２５に所定のメッセージを表示させる。
【００４４】
カップ検出制御部（検出部）２４０は、商品取出口１９の載置場所３１における独自マイカップ又は専用マイカップの存否を検出するべく、発光部３２ａに赤外光を発光させるとともに、受光部３２ｂによる受光結果を解析する。即ち、受光部３２ｂが赤外光を受光しないことは、載置場所３１に独自マイカップ又は専用マイカップが載置されていることに対応する一方、受光部３２ｂが赤外光を受光することは、載置場所３１に独自マイカップ及び専用マイカップの何れも載置されていないことに対応する。
【００４５】
リーダライタ制御部（検出部）２５０は、ＩＣタグ用リーダライタ３３を制御して、商品取出口１９の載置場所３１に載置された専用マイカップに設けられたＩＣタグ４０から、利用者のＩＤ情報４０ａを読み出したり、販売履歴に係る情報を書き込んだりする。
【００４６】
扉開閉制御部２６０は、前述した左扉３０ａ及び右扉３０ｂを開閉するべく、これらを駆動する駆動モータ２６１の動作開始や動作停止等を制御する。
【００４７】
販売制御部２７０は、前述した販売機構１００を制御して飲料を調理し販売する。例えば内蔵カップに飲料を販売する場合、販売制御部２７０は、カップ供給部２７１を制御して内蔵カップを払い出し、ポンプ１１３や電磁弁１０４、１１４、１２３等を所定時期に所定時間だけ動作させて内蔵カップに飲料を供給する。
【００４８】
入出力制御部２８０は、例えばルートマンが各種販売条件等を設定するためにコントロールパネル２８１を通じて入力する情報を主制御部２００に送信する。コントロールパネル２８１は、情報を入力するためのキー（不図示）や、このキー操作の内容を表示するためのディスプレイ（不図示）等を備えており、本実施の形態では、入出力制御部２８０と有線を介して接続されているとともに、カップ式自動販売機１の前扉２の裏面に着脱自在に設けられている。
【００４９】
===カップ式自動販売機の動作===
図５乃至図１２を参照しつつ、前述した構成を備えたカップ式自動販売機１の動作例について説明する。尚、前述したように、以下述べるカップ式自動販売機１は、接客面１０において、硬貨投入口１５及び紙幣挿入口１６とともに、カード用リーダライタ１４を備えているため、利用者は現金及びＩＣカード５０の何れの手段で飲料の代金を支払うことも可能である。本実施の形態では、利用者は、現金による支払いの場合には先ず金銭（硬貨又は紙幣）を投入し、ＩＣカード５０による支払いの場合には先ず所望の商品選択ボタン１１を押下するという手順に従って、カップ式自動販売機１から飲料を購入するものとする。
【００５０】
図５に例示されるように、カップ式自動販売機１の主制御部２００は、利用者により金銭が投入されたか否かを判別する（Ｓ１００）。尚、同図は、本実施の形態のカップ式自動販売機１の飲料販売時における主制御部２００の処理手順の一例を示すフローチャートである。金銭が投入されていないと判別した場合（Ｓ１００：ＮＯ）、主制御部２００は、何れかの商品選択ボタン１１が押下されたか否かを判別する（Ｓ１２７）。何れの商品選択ボタン１１も押下されていないと判別した場合（Ｓ１２７：ＮＯ）、主制御部２００は、ステップＳ１００の処理を再度実行する。
【００５１】
<<<現金で支払う場合>>>
金銭が投入されたと判別した場合（Ｓ１００：ＹＥＳ）、主制御部２００は、投入された金額をＲＡＭ２０３に記憶させる（Ｓ１０１）。また、図示してはいないが、同ステップＳ１０１において、主制御部２００は、投入された金額が１杯分の飲料の価格以上であるか否かを判別し、この金額が１杯分の飲料の価格以上であると判別した場合は次のステップの処理に移行する一方、この金額が１杯分の飲料の価格未満であると判別した場合、ステップＳ１００の処理を再度実行する。
【００５２】
主制御部２００は、扉開閉制御部２６０に商品取出口１９の扉３０を開けさせるとともに、タイマ２０４をリセットした後、計時を開始させる（Ｓ１０２）。扉３０を開ける場合、具体的には、主制御部２００が扉開閉制御部２６０に対し扉３０を開ける旨の制御信号を送信すると、駆動モータ２６１の回転動作により扉３０が開く。
【００５３】
主制御部２００は、扉３０が開いている状態で、カップ検出制御部２４０に制御信号を送信して、商品取出口１９の載置場所３１に独自マイカップ及び専用マイカップの何れか一方が載置されているか否かをカップ検出器３２に検出させる（Ｓ１０３）。
【００５４】
具体的には、カップ検出器３２の発光部３２ａが発光した赤外光を受光部３２ｂが受光した場合、これは発光部３２ａ及び受光部３２ａの間の光路が遮断されていないことを意味するため、カップ検出制御部２４０は、独自マイカップ及び専用マイカップの何れも載置されていない旨の検出信号を主制御部２００に送信する。一方、カップ検出器３２の発光部３２ａが発光した赤外光を受光部３２ｂが受光しない場合、これは発光部３２ａ及び受光部３２ａの間の光路が遮断されていることを意味するため、カップ検出制御部２４０は、独自マイカップ及び専用マイカップの何れか一方が載置されている旨の検出信号を主制御部２００に送信する。
【００５５】
独自マイカップ及び専用マイカップの何れか一方が載置されていると判別した場合（Ｓ１０３：ＹＥＳ）、主制御部２００は、扉３０が開いている状態で、リーダライタ制御部２５０に制御信号を送信して、載置場所３１に載置されているのは専用マイカップであるか否かをＩＣタグ用リーダライタ３３に検出させる（Ｓ１０４）。
【００５６】
具体的には、ＩＣタグ用リーダライタ３３が所定のＩＤ情報４０ａを読み出せなかった場合、リーダライタ制御部２５０は、載置場所３１に載置されているのは専用マイカップではない（独自マイカップである）旨の検出信号を主制御部２００に送信する。一方、ＩＣタグ用リーダライタ３３が所定のＩＤ情報４０ａを読み出した場合、リーダライタ制御部２５０は、載置場所３１に載置されているのは専用マイカップである旨の検出信号を主制御部２００に送信する。
【００５７】
前述したステップＳ１０３及びＳ１０４の処理を実行することにより、本実施の形態のカップ式自動販売機１は、先ず扉３０を開けた状態で、独自マイカップ及び専用マイカップの存否を判別する。次に、この判別結果に応じた主制御部２００の処理の手順について説明する。
【００５８】
商品取出口１９の載置場所３１に独自マイカップ及び専用マイカップの何れも載置されていないと判別した場合（Ｓ１０３：ＮＯ）、主制御部２００は、接客制御部２３０に制御信号を送信して内蔵カップ表示ランプ２２を点灯させ（Ｓ１０５）、タイマ２０４により計時された時間Ｔが所定時間Ｔ１に達しているか否かを判別する（Ｓ１０６）。ＴがＴ１に達していないと判別した場合（Ｓ１０６：ＮＯ）、主制御部２００は、ステップＳ１０３の処理を再度実行する。ＴがＴ１に達していると判別した場合（Ｓ１０６：ＹＥＳ）、主制御部２００は、何れかの商品選択ボタン１１が押下されたか否かを判別する（Ｓ１０９）。何れの商品選択ボタン１１も押下されていないと判別した場合（Ｓ１０９：ＮＯ）、主制御部２００は、今度は前記Ｔが所定時間Ｔ２（Ｔ２＞Ｔ１）に達しているか否かを判別する（Ｓ１１０）。ＴがＴ２に達していないと判別した場合（Ｓ１１０：ＮＯ）、主制御部２００は、ステップＳ１０９の処理を再度実行する。ＴがＴ２に達していると判別した場合（Ｓ１１０：ＹＥＳ）、主制御部２００は、接客制御部２３０に制御信号を送信して、時間切れのため販売処理を中止した旨（例えば「もう一度はじめからお願いします」）をディスプレイ２５に表示させるとともに（Ｓ１１１）、硬貨処理制御部２１０又は紙幣処理制御部２２０に制御信号を送信して、ステップＳ１００：ＹＥＳで投入された金銭を返却口１８又は紙幣挿入口１６を通じて返却させる（Ｓ１１２）。また、主制御部２００は、扉開閉制御部２６０に対し扉３０を閉じる旨の制御信号を送信して扉３０を閉じさせて（Ｓ１１３）、次販売に備える。
【００５９】
尚、本実施の形態では、前述したステップＳ１０５において、図１２（ａ）に例示されるように、内蔵カップ表示ランプ２２が点灯するとともに、ディスプレイ２５には例えば「紙カップでよろしいでしょうか？」等のメッセージが表示されるようになっている。ここで、図１２は、本実施の形態のランプ２２、２３、２４の点灯例とディスプレイ２５の表示例とを示す模式図である。
【００６０】
前述したステップＳ１０３：ＮＯ、Ｓ１０５、Ｓ１０６、及びＳ１０９乃至Ｓ１１３の処理を実行することにより、本実施の形態のカップ式自動販売機１は、扉３０が開いてからＴ１の時間内に独自マイカップ又は専用マイカップが載置場所３１に載置されなければ、内蔵カップによる販売である旨を利用者に報知する。但し、本実施の形態のカップ式自動販売機１は、扉３０が開いてからＴ２の時間内に商品選択ボタン１１が押下されなければ、時間切れのため販売処理を中止する。
【００６１】
商品取出口１９の載置場所３１に独自マイカップ及び専用マイカップの何れか一方が載置されていると判別し（Ｓ１０３：ＹＥＳ）、且つ、載置場所３１に載置されているのが専用マイカップではない（独自マイカップである）と判別した（Ｓ１０４：ＮＯ）場合、主制御部２００は、接客制御部２３０に制御信号を送信して独自マイカップ表示ランプ２３を点灯させ（Ｓ１０７）、何れかの商品選択ボタン１１が押下されたか否かを判別する（Ｓ１１４）。尚、本実施の形態では、ステップＳ１０７において、図１２（ｂ）に例示されるように、独自マイカップ表示ランプ２３が点灯するとともに、ディスプレイ２５には例えば「カップご持参ありがとうございます。」等のメッセージが表示されるようになっている。
【００６２】
商品取出口１９の載置場所３１に独自マイカップ及び専用マイカップの何れか一方が載置されていると判別し（Ｓ１０３：ＹＥＳ）、且つ、載置場所３１に載置されているのが専用マイカップであると判別した（Ｓ１０４：ＹＥＳ）場合、主制御部２００は、接客制御部２３０に制御信号を送信して専用マイカップ表示ランプ２４を点灯させ（Ｓ１０８）、何れかの商品選択ボタン１１が押下されたか否かを判別する（Ｓ１１４）。尚、本実施の形態では、ステップＳ１０８において、図１２（ｃ）に例示されるように、専用マイカップ表示ランプ２４が点灯するとともに、ディスプレイ２５には例えば「カップご持参ありがとうございます。ポイントが増えます。」等のメッセージが表示されるようになっている。
【００６３】
商品選択ボタン１１の何れかが押下されたと判別した場合（Ｓ１１４：ＹＥＳ）、主制御部２００は、押下された商品選択ボタン１１に該当するカップ飲料の情報をＲＡＭ２０３に記憶させ（Ｓ１１５）、扉開閉制御部２６０に対し扉３０を閉じる旨の制御信号を送信して扉３０を閉じさせる（Ｓ１１６）。  
主制御部２００は、扉３０を閉じた状態で、前述したステップＳ１０３及びＳ１０４の処理と同様の処理を実行することにより、独自マイカップ及び専用マイカップの存否を判別する（Ｓ１１７、Ｓ１１８）。  
載置場所３１に独自マイカップ及び専用マイカップの何れも載置されていないと判別した場合（Ｓ１１７：ＮＯ）、主制御部２００は、後述する内蔵カップに対する飲料販売の処理を実行する（Ｓ３００以降）。  
載置場所３１に独自マイカップが載置されていると判別した場合（Ｓ１１７：ＹＥＳ、Ｓ１１８：ＮＯ）、主制御部２００は、後述する独自マイカップに対する飲料販売の処理を実行する（Ｓ４００以降）。  
載置場所３１に専用マイカップが載置されていると判別した場合（Ｓ１１７：ＹＥＳ、Ｓ１１８：ＹＥＳ）、主制御部２００は、後述する専用マイカップに対する飲料販売の処理を実行する（Ｓ５００以降）。
【００６４】
扉３０が開いている状態で、何れの商品選択ボタン１１も押下されていないと判別した場合（Ｓ１１４：ＮＯ）、主制御部２００は、ＴがＴ２に達しているか否かを判別する（Ｓ１１９）。ＴがＴ２に達していないと判別した場合（Ｓ１１９：ＮＯ）、主制御部２００は、ステップＳ１１４の処理を再度実行する。ＴがＴ２に達していると判別した場合（Ｓ１１９：ＹＥＳ）、主制御部２００は、接客制御部２３０に制御信号を送信して、時間切れのため販売処理を中止した旨（例えば「もう一度はじめからお願いします」）をディスプレイ２５に表示させるとともに（Ｓ１２０）、硬貨処理制御部２１０又は紙幣処理制御部２２０に制御信号を送信して、ステップＳ１００：ＹＥＳで投入された金銭を返却口１８又は紙幣挿入口１６を通じて返却させる（Ｓ１２１）。また、主制御部２００は、前述したステップＳ１０３の処理と同様の処理を実行することにより、載置場所３１に独自マイカップ及び専用マイカップの何れか一方が載置されているか否かを判別する（Ｓ１２２）。載置場所３１に独自マイカップ及び専用マイカップの何れか一方が載置されていると判別した場合（Ｓ１２２：ＹＥＳ）、主制御部２００は、接客制御部２３０に制御信号を送信して、利用者に対しこれらのカップの取り出しを催促する旨（例えば「カップをお取り下さい」）をディスプレイ２５に表示させて（Ｓ１２３）、ステップＳ１２２の処理を再度実行する。載置場所３１に独自マイカップ及び専用マイカップの何れも載置されていないと判別した場合（Ｓ１２２：ＮＯ）、主制御部２００は、タイマ２０４に所定時間Ｔ３を計時させた後（Ｓ１２４、Ｓ１２５）、扉開閉制御部２６０に対し扉３０を閉じる旨の制御信号を送信して扉３０を閉じさせる（Ｓ１２６）。
【００６５】
前述したステップＳ１１４：ＮＯ及びＳ１１９乃至Ｓ１２６の処理を実行することにより、本実施の形態のカップ式自動販売機１は、扉３０が開いてからＴ２の時間内に商品選択ボタン１１が押下されなければ、時間切れのために販売を中止するとともに、独自マイカップ又は専用マイカップが利用者により取り出されるまで、これらのカップの取り出しを催促する旨を利用者に報知する。カップが取り出された場合、カップ式自動販売機１は、Ｔ３の時間が経過した後、商品取出口１９の出入口の扉３０を閉じて、次販売に備える。
【００６６】
<内蔵カップへの飲料販売>
図６に例示されるように、載置場所３１に独自マイカップ及び専用マイカップの何れも載置されていない場合、主制御部２００は、カップ供給部２７１に制御信号を送信して内蔵カップを払い出させる（Ｓ３００）。尚、同図は、本実施の形態のカップ式自動販売機１が現金支払いにより内蔵カップに飲料を販売する際の主制御部２００の処理手順の一例を示すフローチャートである。
【００６７】
主制御部２００は、販売制御部２７０に制御信号を送信して、販売機構１００に飲料を調理させ、これを内蔵カップに供給させる（Ｓ３０１）。  
主制御部２００は、扉開閉制御部２６０に対し扉３０を開ける旨の制御信号を送信して扉３０を開けさせる（Ｓ３０２）。  
主制御部２００は、商品取出口１９の載置場所３１に飲料の入った内蔵カップが載置されているか否かを判別する（Ｓ３０３）。
【００６８】
載置場所３１に飲料の入った内蔵カップが載置されていると判別した場合（Ｓ３０３：ＹＥＳ）、主制御部２００は、接客制御部２３０に制御信号を送信して、利用者に対しカップ飲料の取り出しを催促する旨（例えば「商品をお取り下さい」）をディスプレイ２５に表示させて（Ｓ３０７）、ステップＳ３０３の処理を再度実行する。載置場所３１に飲料の入った内蔵カップが載置されていないと判別した場合（Ｓ３０３：ＮＯ）、主制御部２００は、タイマ２０４に所定時間Ｔ３を計時させた後（Ｓ３０４、Ｓ３０５）、扉開閉制御部２６０に対し扉３０を閉じる旨の制御信号を送信して扉３０を閉じさせる（Ｓ３０６）。
【００６９】
前述したステップＳ３００乃至Ｓ３０７の処理を実行することにより、本実施の形態のカップ式自動販売機１は、扉３０が閉じた状態で内蔵カップに飲料を供給してから扉３０を開け、カップ飲料の取り出しを催促する旨を利用者に報知する。商品が取り出された場合、カップ式自動販売機１は、Ｔ３の時間が経過した後、商品取出口１９の出入口の扉３０を閉じて、次販売に備える。
【００７０】
<独自マイカップへの飲料販売>
図７（ａ）に例示されるように、載置場所３１に独自マイカップが載置されている場合、主制御部２００は、硬貨処理制御部２１０に制御信号を送信して硬貨投入機構２１１から所定の割り引き額を含む金銭を返却口１８に返却させる（Ｓ４００）。尚、同図は、本実施の形態のカップ式自動販売機１が現金支払いにより独自マイカップに飲料を販売する際の主制御部２００の処理手順の一例を示すフローチャートである。また、本実施の形態では、内蔵カップで販売される飲料の価格に対する、独自マイカップで販売される飲料の価格の割り引き額は予め定められており、その情報は例えばＲＡＭ２０３に記憶されているものとする。本実施の形態では、この割り引きが、利用者に対するサービスに相当する。
【００７１】
主制御部２００は、販売制御部２７０に制御信号を送信して、販売機構１００に飲料を調理させ、これを独自マイカップに供給させる（Ｓ４０１）。  
主制御部２００は、扉開閉制御部２６０に対し扉３０を開ける旨の制御信号を送信して扉３０を開けさせる（Ｓ４０２）。  
主制御部２００は、商品取出口１９の載置場所３１に飲料の入った独自マイカップが載置されているか否かを判別する（Ｓ４０３）。
【００７２】
載置場所３１に飲料の入った独自マイカップが載置されていると判別した場合（Ｓ４０３：ＹＥＳ）、主制御部２００は、接客制御部２３０に制御信号を送信して、利用者に対しカップ飲料の取り出しを催促する旨（例えば「商品をお取り下さい」）をディスプレイ２５に表示させて（Ｓ４０７）、ステップＳ４０３の処理を再度実行する。載置場所３１に飲料の入った独自マイカップが載置されていないと判別した場合（Ｓ４０３：ＮＯ）、主制御部２００は、タイマ２０４に所定時間Ｔ３を計時させた後（Ｓ４０４、Ｓ４０５）、扉開閉制御部２６０に対し扉３０を閉じる旨の制御信号を送信して扉３０を閉じさせる（Ｓ４０６）。
【００７３】
前述したステップＳ４００乃至Ｓ４０７の処理を実行することにより、本実施の形態のカップ式自動販売機１は、扉３０が閉じた状態で独自マイカップに飲料を供給してから扉３０を開け、カップ飲料の取り出しを催促する旨を利用者に報知する。商品が取り出された場合、カップ式自動販売機１は、Ｔ３の時間が経過した後、商品取出口１９の出入口の扉３０を閉じて、次販売に備える。
【００７４】
或いは、図７（ｂ）に例示されるように、載置場所３１に独自マイカップが載置されている場合、主制御部２００は、販売制御部２７０に制御信号を送信して、販売機構１００に飲料を所定量増量して調理させ、これを独自マイカップに供給させる（Ｓ４０８）。尚、同図は、本実施の形態のカップ式自動販売機１が現金支払いにより独自マイカップに飲料を販売する際の主制御部２００の処理手順のもう一例を示すフローチャートである。また、本実施の形態では、内蔵カップで販売される飲料の総量に対する、独自マイカップで販売される飲料の総量の増量分は予め定められており、その情報は例えばＲＡＭ２０３に記憶されているものとする。以後、同図に例示されるステップＳ４０９乃至Ｓ４１４の処理は、前述したステップＳ４０２乃至Ｓ４０７の処理に等しい。
【００７５】
<専用マイカップへの飲料販売>
図８に例示されるように、載置場所３１に専用マイカップが載置されている場合、主制御部２００は、リーダライタ制御部２５０に制御信号を送信して、ＩＣタグ用リーダライタ３３にＩＣタグ４０のＩＤ情報４０ａを読み出させる（Ｓ５００）。
【００７６】
尚、同図は、本実施の形態のカップ式自動販売機１が現金支払いにより専用マイカップに飲料を販売する際の主制御部２００の処理手順の一例を示すフローチャートである。また、本実施の形態では、内蔵カップで販売される飲料の価格に対する、専用マイカップで販売される飲料の価格の割り引き額は予め定められており、その情報は例えばＲＡＭ２０３に記憶されているものとする。更に、本実施の形態では、専用マイカップを持参する利用者には、飲料販売の回数に応じたポイントが与えられ、このポイント情報は利用者ごとにＲＡＭ２０３に記憶されているものとする。ここで、以下述べるように、ポイントが所定数に達した場合、本実施の形態のカップ式自動販売機１は、次販売に際し、全額割り引き（無料）や一部割り引き等の特典を利用者に提供するようになっている。本実施の形態では、この割り引き及びポイントに応じた特典が、利用者に対するサービスに相当する。
【００７７】
主制御部２００は、ＩＣタグ４０から読み出されたＩＤ情報４０ａに対応付けられているポイント情報をＲＡＭ２０３から読み出し（Ｓ５０１）、ポイントが所定数に達しているか否かを判別する（Ｓ５０２）。
【００７８】
ポイントが所定数に達していないと判別した場合（Ｓ５０２：ＮＯ）、主制御部２００は、所定額だけ割り引いた飲料の価格を、前述したステップＳ１００：ＹＥＳで投入された金額から減算し、硬貨処理制御部２１０に制御信号を送信して、この減算結果に相当する金銭を返却させる（Ｓ５０３）。また、主制御部２００は、ＲＡＭ２０３におけるＩＤ情報４０ａに対応するポイント情報を、このポイントに例えば１を加算した新たなポイント情報に更新する（Ｓ５０４）。
【００７９】
ポイントが所定数に達していると判別した場合（Ｓ５０２：ＹＥＳ）、主制御部２００は、例えば、硬貨処理制御部２１０又は紙幣処理制御部２２０に制御信号を送信して、ステップＳ１００：ＹＥＳで投入された金銭を返却口１８又は紙幣挿入口１６を通じて返却させる（全額割り引き）（Ｓ５０５）。また、主制御部２００は、ＲＡＭ２０３におけるＩＤ情報４０ａに対応するポイント情報をゼロにリセットする（Ｓ５０６）。或いは、主制御部２００は、ステップＳ５０５において、例えば前述したステップＳ５０３の割り引きより大きな額の割り引きを行ってもよい。
【００８０】
以後、図８に例示されるステップＳ５０７乃至Ｓ５１３の処理は、前述した独自マイカップに係るステップＳ４０１乃至Ｓ４０７の処理に等しい。
【００８１】
尚、図示してはいないが、専用マイカップに対し、所定量増量した飲料を供給する場合の処理の手順は、独自マイカップに対し増量する場合の処理の手順（図７（ｂ））と同様である。
【００８２】
<飲料販売の自動的且つ確実な判別>
前述したカップ式自動販売機１によれば、商品取出口１９の出入口の扉３０が閉じて利用者がその内部に手を入れることができない状態で、載置場所３１に独自マイカップ及び専用マイカップの何れか一方が存在するか否かが検出される。そして、独自マイカップ又は専用マイカップを載置した利用者に対しては、所定サービスが提供される。つまり、利用者のカップによる飲料販売と、内蔵カップによる飲料販売との何れを行うべきかを自動的且つ確実に判別するとともに、これら２つの飲料販売に関して利用者に対しサービスの差別化ができる。
【００８３】
また、前述したカップ式自動販売機１によれば、商品取出口１９の出入口の扉３０が開いており利用者がその内部に手を入れることができる状態で、載置場所３１に独自マイカップ及び専用マイカップの何れか一方が存在するか否かが検出され、その検出結果が利用者に報知される。例えば、利用者が独自マイカップ又は専用マイカップを商品取出口１９の内部に載置しているにもかかわらず、その載置位置が不適切であるが故に当該カップの存在が検出されない場合、その旨の報知を受けた利用者は、商品取出口１９の内部に手を入れて独自マイカップ又は専用マイカップを適切に載置し直すことができる。尚、適切な載置とは、カップ検出器３２の発光部３２ａから受光部３２ｂまでの光路が遮断されるような載置である。或いは、適切な載置とは、ＩＣタグ用リーダライタ３３がＩＣタグ４０と通信可能となるような載置である。
【００８４】
また、前述したカップ式自動販売機１によれば、利用者が飲料を購入するべく販売代金を現金で入金したとき扉３０が開くため、利用者にとって独自マイカップ又は専用マイカップの載置のタイミングがわかり易い。利用者は、販売代金の入金から所定時間Ｔ１内で、前述した適切な載置を実行できる。
【００８５】
また、前述したカップ式自動販売機１によれば、飲料の増量、販売代金の割り引き、ポイント等のサービスが受けられるため、独自マイカップ及び専用マイカップの使用の促進につながる。
【００８６】
また、前述したカップ式自動販売機１によれば、例えば専用マイカップに対し飲料を増量するサービスの場合、この専用マイカップの一定の形状に応じた一定量を増量すればよい。これにより、サービス提供時に専用マイカップから飲料があふれる等の問題を回避できる。
【００８７】
また、前述したカップ式自動販売機１によれば、利用者が載置場所３１に独自マイカップ又は専用マイカップを載置すると、これらのカップに対しそのままの状態で飲料が供給される。このように、独自マイカップ及び専用マイカップを載置場所３１から例えば別の場所へ運搬する等の操作を伴わない分、これらのカップの形状等に自由度をもたせることができる。また、カップを載置する場所とカップ飲料を取り出す場所とが同一であることにより、カップ式自動販売機１内部のスペースを有効利用できる。これにより、カップ式自動販売機１の小型化とともにコストの低減を図れる。
【００８８】
<<<ＩＣカードで支払う場合>>>
何れかの商品選択ボタン１１が押下されたと判別した場合（図５、Ｓ１２７：ＹＥＳ）、図９に例示されるように、主制御部２００は、押下された商品選択ボタン１１に該当するカップ飲料の情報をＲＡＭ２０３に記憶させ（Ｓ２００）、扉開閉制御部２６０に対し扉３０を開ける旨の制御信号を送信して扉３０を開けさせるとともに、タイマ２０４をリセットした後、計時を開始させる（Ｓ２０１）。尚、同図は、本実施の形態のカップ式自動販売機１がＩＣカード支払いにより飲料を販売する際の主制御部２００の処理手順の一例を示すフローチャートである。
【００８９】
主制御部２００は、扉３０が開いている状態で、カップ検出制御部２４０に制御信号を送信して、載置場所３１に独自マイカップ及び専用マイカップの何れか一方が載置されているか否かをカップ検出器３２に検出させる（Ｓ２０２）。
【００９０】
独自マイカップ及び専用マイカップの何れか一方が載置されていると判別した場合（Ｓ２０２：ＹＥＳ）、主制御部２００は、扉３０が開いている状態で、リーダライタ制御部２５０に制御信号を送信して、載置場所３１に載置されているのは専用マイカップであるか否かをＩＣタグ用リーダライタ３３に検出させる（Ｓ２０３）。
【００９１】
商品取出口１９の載置場所３１に独自マイカップ及び専用マイカップの何れも載置されていないと判別した場合（Ｓ２０２：ＮＯ）、主制御部２００は、接客制御部２３０に制御信号を送信して内蔵カップ表示ランプ２２を点灯させ（Ｓ２０４）、タイマ２０４により計時された時間Ｔが所定時間Ｔ１に達しているか否かを判別する（Ｓ２０５）。ＴがＴ１に達していないと判別した場合（Ｓ２０５：ＮＯ）、主制御部２００は、ステップＳ２０２の処理を再度実行する。ＴがＴ１に達していると判別した場合（Ｓ２０５：ＹＥＳ）、主制御部２００は、扉開閉制御部２６０に対し扉３０を閉じる旨の制御信号を送信して扉３０を閉じさせる（Ｓ２１０）。尚、本実施の形態では、前述したステップＳ２０４において、図１２（ａ）に例示されるように、内蔵カップ表示ランプ２２が点灯するとともに、ディスプレイ２５には例えば「紙カップでよろしいでしょうか？」等のメッセージが表示されるようになっている。
【００９２】
商品取出口１９の載置場所３１に独自マイカップ及び専用マイカップの何れか一方が載置されていると判別し（Ｓ２０２：ＹＥＳ）、且つ、載置場所３１に載置されているのが専用マイカップではない（独自マイカップである）と判別した（Ｓ２０３：ＮＯ）場合、主制御部２００は、接客制御部２３０に制御信号を送信して独自マイカップ表示ランプ２３を点灯させ（Ｓ２０６）、タイマ２０４に所定時間Ｔ３を計時させた後（Ｓ２０８、Ｓ２０９）、扉開閉制御部２６０に対し扉３０を閉じる旨の制御信号を送信して扉３０を閉じさせる（Ｓ２１０）。尚、本実施の形態では、ステップＳ２０６において、図１２（ｂ）に例示されるように、独自マイカップ表示ランプ２３が点灯するとともに、ディスプレイ２５には例えば「カップご持参ありがとうございます。」等のメッセージが表示されるようになっている。
【００９３】
商品取出口１９の載置場所３１に独自マイカップ及び専用マイカップの何れか一方が載置されていると判別し（Ｓ２０２：ＹＥＳ）、且つ、載置場所３１に載置されているのが専用マイカップであると判別した（Ｓ２０３：ＹＥＳ）場合、主制御部２００は、接客制御部２３０に制御信号を送信して専用マイカップ表示ランプ２４を点灯させ（Ｓ２０７）、タイマ２０４に所定時間Ｔ３を計時させた後（Ｓ２０８、Ｓ２０９）、扉開閉制御部２６０に対し扉３０を閉じる旨の制御信号を送信して扉３０を閉じさせる（Ｓ２１０）。尚、本実施の形態では、ステップＳ２０７において、図１２（ｃ）に例示されるように、専用マイカップ表示ランプ２４が点灯するとともに、ディスプレイ２５には例えば「カップご持参ありがとうございます。ポイントが増えます。」等のメッセージが表示されるようになっている。
【００９４】
主制御部２００は、扉３０を閉じた状態で、前述したステップＳ２０２及びＳ２０３の処理と同様の処理を実行することにより、独自マイカップ及び専用マイカップの存否を判別する（Ｓ２１１、Ｓ２１２）。  
載置場所３１に独自マイカップ及び専用マイカップの何れも載置されていないと判別した場合（Ｓ２１１：ＮＯ）、主制御部２００は、後述する内蔵カップに対する飲料販売の処理を実行する（Ｓ６００以降）。  
載置場所３１に独自マイカップが載置されていると判別した場合（Ｓ２１１：ＹＥＳ、Ｓ２１２：ＮＯ）、主制御部２００は、後述する独自マイカップに対する飲料販売の処理を実行する（Ｓ７００以降）。  
載置場所３１に専用マイカップが載置されていると判別した場合（Ｓ２１１：ＹＥＳ、Ｓ２１２：ＹＥＳ）、主制御部２００は、後述する専用マイカップに対する飲料販売の処理を実行する（Ｓ８００以降）。
【００９５】
<内蔵カップへの飲料販売>
図１０に例示されるように、載置場所３１に独自マイカップ及び専用マイカップの何れも載置されていない場合、主制御部２００は、接客面１０に制御信号を送信して、利用者にＩＣカード５０を翳す行為を促す旨（例えば「カードを翳して下さい」）をディスプレイ２５に表示させるとともに（Ｓ６００）、タイマ２０４をリセットした後、計時を開始させる（Ｓ６０１）。尚、同図は、本実施の形態のカップ式自動販売機１がＩＣカード支払いにより内蔵カップに飲料を販売する際の主制御部２００の処理手順の一例を示すフローチャートである。
【００９６】
主制御部２００は、ＩＣカード５０を検知したか否かを判別する（Ｓ６０２）。具体的には、主制御部２００は、例えば、接客面１０のカード用リーダライタ１４がＩＣカード５０の所定の情報を読み出した場合に接客制御部２３０が送信する検出信号を受信したか否かを判別する。
【００９７】
ＩＣカード５０を検知していないと判別した場合（Ｓ６０２：ＮＯ）、主制御部２００は、ＴがＴ４に達しているか否かを判別する（Ｓ６０３）。ＴがＴ４に達していないと判別した場合（Ｓ６０３：ＮＯ）、主制御部２００は、ステップＳ６０２の処理を再度実行する。ＴがＴ４に達していると判別した場合（Ｓ６０３：ＹＥＳ）、主制御部２００は、接客制御部２３０に制御信号を送信して、時間切れのため販売処理を中止した旨（例えば「もう一度はじめからお願いします」）をディスプレイ２５に表示させる（Ｓ６０４）。
【００９８】
ＩＣカード５０を検知したと判別した場合（Ｓ６０２：ＹＥＳ）、主制御部２００は、接客制御部２３０に制御信号を送信して、カード用リーダライタ１４にＩＣカード５０からＩＤ情報５０ａを読み出させる（Ｓ６０５）。
【００９９】
主制御部２００は、前述したステップＳ２００で取得したカップ飲料の情報に対応する価格の情報を、ＩＤ情報５０ａと対応付けてＲＡＭ２０３に記憶させる（Ｓ６０６）。尚、本実施の形態のカップ式自動販売機１は、利用者のＩＤ情報５０ａと、カップ飲料の購入価格の情報とを対応付けてＲＡＭ２０３に記憶させて、販売履歴情報として管理しているものとする。このＲＡＭ２０３は、カップ飲料の情報とその価格の情報とを対応付けたテーブル情報を更に記憶しているものとする。
【０１００】
主制御部２００は、ＲＡＭ２０３に記憶された販売履歴情報に基づいて、ＩＤ情報５０ａに該当する利用者に対する本飲料販売に係る支払処理を行う（Ｓ６０７）。尚、ＩＣカード５０を介した決済等は、例えば特開２００４−２８７７４１号公報に開示された周知の構成により実施できる。
【０１０１】
以後、図１０に例示されるステップＳ６０８乃至Ｓ６１５の処理は、前述したステップＳ３００乃至Ｓ３０７の処理に等しい。
【０１０２】
<独自マイカップ又は専用マイカップへの飲料販売>
図１１の例示では、カップ式自動販売機１は、利用者が独自マイカップ又は専用マイカップを持参した場合、ＩＣカード５０を通じて、それぞれのカップに応じた割り引きサービスを行うとともに、ポイントが所定数に達した際にはそれぞれのカップに応じた無料又は割り引きサービスを行うものである。尚、同図は、本実施の形態のカップ式自動販売機１がＩＣカード支払いにより独自マイカップ又は専用マイカップに飲料を販売する際の主制御部２００の処理手順の一例を示すフローチャートである。
【０１０３】
独自マイカップの場合のステップＳ７００乃至Ｓ７０３の処理は、前述した内蔵カップの場合のステップＳ６００乃至Ｓ６０３の処理に等しい。また、独自マイカップの場合のステップＳ７０４乃至Ｓ７１０の処理は、前述した現金支払いの場合のステップＳ１２０乃至Ｓ１２６の処理に略等しい。尚、前述したステップＳ１２１に対応するステップＳ７０５では、主制御部２００は、扉開閉制御部２６０に対し扉３０を開ける旨の制御信号を送信して扉３０を開けさせる。更に、独自マイカップの場合のステップＳ７１８乃至Ｓ７２４の処理は、前述した内蔵カップの場合のステップＳ６０９乃至Ｓ６１５の処理に等しい。
【０１０４】
以下、ステップＳ７０２：ＹＥＳ乃至Ｓ７１７における主制御部２００の処理の手順について説明する。  
ＩＣカード５０を検知したと判別した場合（Ｓ７０２：ＹＥＳ）、主制御部２００は、接客制御部２３０に制御信号を送信して、カード用リーダライタ１４にＩＣカード５０からＩＤ情報５０ａ及びポイント情報５０ｂを読み出させる（Ｓ７１１）。  
主制御部２００は、ステップＳ７１１で取得したポイントが所定数に達しているか否かを判別する（Ｓ７１２）。  
ポイントが所定数に達していないと判別した場合（Ｓ７１２：ＮＯ）、主制御部２００は、接客制御部２３０に制御信号を送信して、カード用リーダライタ１４に対しこのポイントに例えば１を加算した新たなポイント情報５０ｂをＩＣカード５０に記憶させる（Ｓ７１３）。
【０１０５】
主制御部２００は、カップ飲料の価格から独自マイカップに応じた割り引き額を減算した価格を、ＩＤ情報５０ａと対応付けてＲＡＭ２０３に記憶させる（Ｓ７１４）。尚、本実施の形態のカップ式自動販売機１は、利用者のＩＤ情報５０ａと、カップ飲料の購入価格の情報とを対応付けてＲＡＭ２０３に記憶させて、販売履歴情報として管理しているものとする。このＲＡＭ２０３は、カップ飲料の情報とその価格の情報とを対応付けたテーブル情報、及び、独自マイカップに対応して予め定められた割り引き額の情報を更に記憶しているものとする。
【０１０６】
ポイントが所定数に達していると判別した場合（Ｓ７１２：ＹＥＳ）、主制御部２００は、接客制御部２３０に制御信号を送信して、カード用リーダライタ１４に対しゼロにリセットしたポイント情報５０ｂをＩＣカード５０に記憶させる（Ｓ７１５）。  
主制御部２００は、例えば価格ゼロ（無料）を、ＩＤ情報５０ａと対応付けてＲＡＭ２０３に記憶させる（Ｓ７１６）。或いは、主制御部２００は、ステップＳ７１６において、例えば前述したステップＳ７１４の割り引きより大きな額の割り引きを行ってもよい。  
主制御部２００は、ＲＡＭ２０３に記憶された販売履歴情報に基づいて、ＩＤ情報５０ａに該当する利用者に対する本飲料販売に係る支払処理を行う（Ｓ７１７）。尚、ＩＣカード５０を介した決済等は、例えば特開２００４−２８７７４１号公報に開示された周知の構成により実施できる。
【０１０７】
前述と同様に、専用マイカップの場合のステップＳ８００乃至Ｓ８０３の処理は、前述した内蔵カップの場合のステップＳ６００乃至Ｓ６０３の処理に等しい。また、専用マイカップの場合のステップＳ８０４乃至Ｓ８１０の処理は、前述した現金支払いの場合のステップＳ１２０乃至Ｓ１２６の処理に略等しい。尚、前述したステップＳ１２１に対応するステップＳ８０５では、主制御部２００は、扉開閉制御部２６０に対し扉３０を開ける旨の制御信号を送信して扉３０を開けさせる。更に、専用マイカップの場合のステップＳ８１８乃至Ｓ８２４の処理は、前述した内蔵カップの場合のステップＳ６０９乃至Ｓ６１５の処理に等しい。
【０１０８】
専用マイカップの場合のステップＳ８０２：ＹＥＳ乃至Ｓ８１７における主制御部２００の処理の手順は、前述した独自マイカップの場合のステップＳ７０２：ＹＥＳ乃至Ｓ７１７における主制御部２００の処理の手順と同様である。尚、専用マイカップの場合、ステップＳ８１４及びＳ８１６で設定される割り引き額は、この専用マイカップに応じたものとなる。ＲＡＭ２０３は、専用マイカップに対応して予め定められた割り引き額の情報を記憶しているものとする。
【０１０９】
<飲料販売の自動的且つ確実な判別>
前述したカップ式自動販売機１によれば、利用者が飲料を購入するべく商品選択ボタン１１を押下したとき扉３０が開くため、利用者にとって独自マイカップ又は専用マイカップの載置のタイミングがわかり易い。利用者は、商品選択ボタン１１の押下から所定時間Ｔ１内で、カップの前述した適切な載置を実行できる。
【０１１０】
また、前述したカップ式自動販売機１によれば、図９に例示されるように、カップ検出完了前（例えばステップＳ２００乃至Ｓ２１２）のＩＣカード５０の情報入力は無効とされる一方、この検出完了後のＩＣカード５０の情報入力は有効とされる。これにより、ＩＣカード５０を介した販売代金の割り引きやポイント等のサービスは、確実に、前記検出結果に応じたものとなる。
【０１１１】
尚、本実施の形態の主制御部２００は、図９に例示されるステップＳ２１０で扉３０が閉じた後から、各カップに飲料を販売する処理（ステップＳ６００、Ｓ７００、Ｓ８００）の直前までの間、例えば返却レバー１７の操作にともなう検出信号を受信したか否かを判別し、この検出信号を受信したと判別した場合、飲料の販売を中止して扉３０を開くものとしてもよい。これにより、独自マイカップ又は専用マイカップを載置して扉３０が閉じた後でも、利用者は、返却レバー１７を操作することにより飲料の購入を中止することができる。
【０１１２】
また、図１０及び図１１で例示される処理における利用者に対するサービスは、前述した現金支払いの場合と同様に、飲料の増量であってもよい。
【０１１３】
===異なる構成例===
カップ式自動販売機１の構成は、前述した構成例に限定されるものではない。  
カップ式自動販売機１は、少なくとも、利用者のＩＤ情報４０ａを記憶するＩＣタグ４０を有する専用マイカップが出入口を介して載置可能である商品取出口１９と、出入口を開閉する扉３０と、扉３０が閉じた後に、専用マイカップが商品取出口１９の内部に存在するか否かを検出するためのカップ検出器３２又はＩＣタグ用リーダライタ３３と、専用マイカップが商品取出口１９の内部に存在することが検出された場合、専用マイカップに飲料を供給するとともに利用者に所定サービスを提供し、専用マイカップが商品取出口１９の内部に存在しないことが検出された場合、内蔵カップを払い出すとともに飲料を供給するための制御を行う主制御部２００と、を備えていればよい。
【０１１４】
上記において、出入り口を介して専用マイカップを載置する載置室は、商品取出口１９に限定されるものではない。例えば、カップ式自動販売機１はカップ搬送機構を備え、専用マイカップは載置場所３１から別の場所へ搬送されて飲料が販売されるものであってもよい。また、専用マイカップの存否を検出する検出部は、前述した赤外線の透過を検出するタイプに限定されるものではなく、例えば赤外線の反射を検出するタイプであってもよい。反射タイプの場合、例えば前述した発光部３２ａが受光部３２ｂをともに備えて１つのセンサを構成する。このセンサの近傍にカップがある場合にセンサから発光した赤外光がカップの表面で反射された反射光の強度は、カップがない場合にセンサから発光した赤外光が商品取出口１９の内壁で反射された反射光の強度よりも大きい。そこで、センサが受光する反射光の強度が所定値を超えるか否かを判別することにより、カップの存否を検出する。或いは、専用マイカップの存否を検出する検出部は、赤外線を利用するカップ検出器３２やＩＣタグ用リーダライタ３３等に限定されるものではなく、例えば専用マイカップの自重を検知する圧力センサ等であってもよい。要するに、専用マイカップの存否を自動的に検出するための手段であれば、いかなる手段であってもよい。また、利用者に提供される所定サービスは、要するに、内蔵カップへの飲料販売に対する差別化が図れるようなサービスであれば、いかなるものであってもよい。尚、前述したカップ搬送型の場合、専用カップが一定の形状を有していることに利点がある。即ち、カップ搬送型の場合、専用カップを所定の把持手段により把持する必要があるが、この専用カップが一定の形状であれば、これは、同じく一定の形状を有する把持手段により把持され易い。
【０１１５】
尚、前述したカップ式自動販売機１は、カップ検出器３２又はＩＣタグ用リーダライタ３３による検出結果をランプ２２、２３、２４やディスプレイ２５等を通じて利用者に報知しているが、これに限定されるものではない。検出結果を報知する報知部は、例えばブザー等でもよく、要するに、利用者に対し視覚や聴覚等を通じて専用マイカップの存否を報知するための手段であれば、いかなる手段であってもよい。
【０１１６】
また、前述したカップ式自動販売機１は、飲料の販売代金の支払いには現金及びＩＣカード５０の何れも可能であるが、これに限定されるものではなく、例えば現金又はＩＣカード５０の一方のみで支払い可能な構成であってもよい。
【０１１７】
また、前述したカップ式自動販売機１の扉３０は、利用者が飲料の販売代金を現金で支払う場合には、所定額の入金により開き、利用者が飲料の販売代金をＩＣカード５０で支払う場合には、商品選択ボタン１１の押下により開くものであったが、これに限定されるものではない。
【０１１８】
図１３に例示されるように、商品取出口１９の近傍に、専用マイカップに設けられたＩＣタグ４０と通信可能なＩＣタグ用リーダライタ６０を設けて、このＩＣタグ用リーダライタ６０によりＩＣタグ４０が検出されたとき、扉３０を開けるようにしてもよい。尚、同図は、本実施の形態のカップ式自動販売機１の商品取出口１９及びその周辺の構成例を示す正面斜視図である。ここで、商品取出口１９の外側に設けられたＩＣタグ用リーダライタ６０と、前述した商品取出口１９の内側に設けられたＩＣタグ用リーダライタ３３とは、例えばそのＲＦ源が共通であってもよい。以上により、利用者が専用マイカップを商品取出口１９に近づけると、自動的に扉３０が開くことになる。
【０１１９】
===その他の実施の形態===
前述した発明の実施の形態は、本発明の理解を容易にするためのものであり、本発明を限定して解釈するためのものではない。本発明は、その趣旨を逸脱することなく変更、改良され得るとともに、本発明にはその等価物も含まれる。
【０１２０】
前述した実施の形態のカップ式自動販売機１は、コーヒー飲料をカップに供給して販売するものであったが、これに限定されるものではなく、一般に、カップで供給可能な飲料を販売する自動販売機であればいかなるものであってもよい。
【０１２１】
前述した実施の形態の販売機構１００では、ミキシングボール１１７においてコーヒーを砂糖及びクリームと混合するものであったが、これに限定されるものではない。例えば、載置場所３１に載置された内蔵カップ、独自マイカップ、又は専用マイカップに、直接、コーヒー、砂糖、及びクリームを別々に供給し、所定の攪拌手段をこれらのカップの内部まで降下させてその場で攪拌するものであってもよい。このように載置場所３１で攪拌等を行う際に扉３０が閉じられていることは、安全性の面で優れたものと言える。
【０１２２】
前述した実施の形態の扉３０は、駆動モータ２６１に駆動されて左扉３０ａ及び右扉３０ｂが摺動する構成であったが、これに限定されるものではない。要するに、商品取出口１９の内部に利用者が手を入れられない程度に自動的に閉じる一方、利用者がカップを載置できる程度に自動的に開くための手段であればいかなるものであってもよい。
【図面の簡単な説明】
【０１２３】
【図１】本実施の形態のカップ式自動販売機の外観構成例を示す正面図である。
【図２】（ａ）は、扉が開いている状態の本実施の形態の商品取出口の正面斜視図であり、（ｂ）は、扉が略閉じている状態の本実施の形態の商品取出口の正面斜視図である。
【図３】本実施の形態の販売機構におけるコーヒーを販売する部分の概略構成例を示す模式図である。
【図４】本実施の形態のカップ式自動販売機の制御を司る構成例を示すブロック図である。
【図５】本実施の形態のカップ式自動販売機の飲料販売時における主制御部の処理手順の一例を示すフローチャートである。
【図６】本実施の形態のカップ式自動販売機が現金支払いにより内蔵カップに飲料を販売する際の主制御部の処理手順の一例を示すフローチャートである。
【図７】（ａ）は、本実施の形態のカップ式自動販売機が現金支払いにより独自マイカップに飲料を販売する際の主制御部の処理手順の一例を示すフローチャートであり、（ｂ）は、本実施の形態のカップ式自動販売機が現金支払いにより独自マイカップに飲料を販売する際の主制御部の処理手順のもう一例を示すフローチャートである。
【図８】本実施の形態のカップ式自動販売機が現金支払いにより専用マイカップに飲料を販売する際の主制御部の処理手順の一例を示すフローチャートである。
【図９】本実施の形態のカップ式自動販売機がＩＣカード支払いにより飲料を販売する際の主制御部の処理手順の一例を示すフローチャートである。
【図１０】本実施の形態のカップ式自動販売機がＩＣカード支払いにより内蔵カップに飲料を販売する際の主制御部の処理手順の一例を示すフローチャートである。
【図１１】本実施の形態のカップ式自動販売機がＩＣカード支払いにより独自マイカップ又は専用マイカップに飲料を販売する際の主制御部の処理手順の一例を示すフローチャートである。
【図１２】本実施の形態のランプの点灯例とディスプレイの表示例とを示す模式図である。
【図１３】本実施の形態のカップ式自動販売機の商品取出口及びその周辺の構成例を示す正面斜視図である。
【符号の説明】
【０１２４】
１  カップ式自動販売機、２  前扉、１０  接客面、１１  商品選択ボタン、
１２  砂糖増量ボタン、１３  クリーム増量ボタン、１４  カード用リーダライタ、
１５  硬貨投入口、１６  紙幣挿入口、１７  返却レバー、１８  返却口、
１９  商品取出口、２０，２１  増減表示ランプ、２２  内蔵カップ表示ランプ、
２３  独自マイカップ表示ランプ、２４  専用マイカップ表示ラン、
２５  ディスプレイ、３０  扉、３０ａ  左扉、３０ｂ  右扉、３１  載置場所、
３２  ＩＣタグ用リーダライタ、３２ａ  発光部、３２ｂ  受光部、
３３  ＩＣタグ用リーダライタ、４０  ＩＣタグ、４０ａ  ＩＤ情報、
５０  ＩＣカード、５０ａ  ＩＤ情報、５０ｂ  ポイント情報、
６０  ＩＣタグ用リーダライタ、１００  販売機構、
１０１  レギュラーコーヒー抽出装置、１０３  湯タンク、
１１１  コーヒーミル、１１７  ミキシングボール、１１９  砂糖容器、
１２１  クリーム容器、１０４，１１４，１２３  電磁弁、
１０５  コーヒー供給管、１１３  ポンプ、１１５  湯供給管、１２５  供給管、
２００  主制御部、２０１  ＣＰＵ、２０２  ＲＯＭ、２０３  ＲＡＭ、
２０４  タイマ、２０５  カウンタ、２１０  硬貨処理制御部、
２１１  硬貨投入機構、２２０  紙幣処理制御部、２２１  紙幣挿入機構、
２３０  接客制御部、２４０  カップ検出制御部、２５０  リーダライタ制御部、
２６０  扉開閉制御部、２６１  駆動モータ、２７０  販売制御部、
２７１  カップ供給部、２８０  入出力制御部、２８１  コントロールパネル
【図１】
2008186228.tif 000003
【図２】
2008186228.tif 000004
【図３】
2008186228.tif 000005
【図４】
2008186228.tif 000006
【図５】
2008186228.tif 000007
【図６】
2008186228.tif 000008
【図７】
2008186228.tif 000009
【図８】
2008186228.tif 000010
【図９】
2008186228.tif 000011
【図１０】
2008186228.tif 000012
【図１１】
2008186228.tif 000013
【図１２】
2008186228.tif 000014
【図１３】
2008186228.tif 000015